(57)【要約】【課題】男性器を包み込むことなく下着を汚すことを防止するとともに、男性器の可動範囲を制限しないようにする。【解決手段】男性用失禁ライナー１は、前方から後方に亘って本体部１０が形成されるとともに、前記本体部１０の後方の両側に、側方又は斜め後ろの側方に向けて突出する左右一対の側方部１１、１１が形成されている。また、前記本体部１０の後方の幅方向中央に、後方に向けて突出する後方部１２が形成されている。男性用失禁ライナー１を下着に装着するに際しては、下着の前身頃の内側に対して、前記本体部１０をウエスト開口部近傍から股間部にかけての前後方向に沿って配設するとともに、前記側方部１１を下着の股間部から脚部開口に向けて配設する。【選択図】図３
2015058195.tif 000002
【特許請求の範囲】
【請求項１】
透液性表面シートと裏面シートとの間に吸収体が介在された男性用吸収性物品であって、
前方から後方に亘って本体部が形成されるとともに、
前記本体部の後方の両側に、側方又は斜め後ろの側方に向けて突出する左右一対の側方部が形成されていることを特徴とする男性用吸収性物品。
【請求項２】
前記本体部の後方の幅方向中央に、後方に向けて突出する後方部が形成されている請求項１記載の男性用吸収性物品。
【請求項３】
前記側方部の前側外形線と、男性用吸収性物品の前後方向線との成す角が９０度〜１２０度である請求項１、２いずれかに記載の男性用吸収性物品。
【請求項４】
前記側方部の後側外形線と、男性用吸収性物品の前後方向線との成す角が６０度〜９０度である請求項１〜３いずれかに記載の男性用吸収性物品。
【請求項５】
前記裏面シートの外面側に下着への固定を図るためのズレ止め粘着剤層が設けられ、
前記ズレ止め粘着剤層は、前記側方部の少なくとも先端近傍に設けられている請求項１〜４いずれかに記載の男性用吸収性物品。
【請求項６】
前記吸収体は、前記側方部の基端部に前後方向に沿ってスリットが形成されるとともに、前記本体部の前方部分に幅方向に沿ってスリットが形成されている請求項１〜５いずれかに記載の男性用吸収性物品。
【請求項７】
前記本体部の前方部分に、一方の側方に向けて突出するとともに、下着の前開き部分に折り返して固定するためのウイング状フラップが設けられている請求項１〜６いずれかに記載の男性用吸収性物品。
【発明の詳細な説明】
【技術分野】
【０００１】
本発明は、男性用の軽失禁ライナー、失禁パッド等の吸収性物品に関する。
【背景技術】
【０００２】
従来より、前記男性用の吸収性物品として、生活の中でトイレに間に合わない人や、トイレに自力で行くことができない人などの介護を目的とした尿量１００ｃｃ以上の多量の尿吸収用の失禁パッドや、健常者が普段トイレで排尿し下着内に男性器を戻した後に、尿道に残った少量の尿が漏れて下着を濡らしてしまうのを防止することを目的とした尿量２〜１０ｃｃ程度の少量の尿漏れ用の軽失禁ライナー等が開発されている。
【０００３】
前者の多量の尿漏れ用の失禁パッドとしては、所要の吸収量が得られ、漏れが防止できるものが種々開発され、市場に多く提供されている。一方、後者の少量の尿漏れ用の軽失禁ライナーとしては、下記のものを挙げることができる。
【０００４】
例えば、下記特許文献１においては、男性器を収容するためのカップ状に形成された本体部を有する男性用失禁パッドが開示されている。また、下記特許文献２においては、一枚のシート状部材からカップ形状に形成された男性用失禁パッドであって、性器をその下方からガードする下部ガード部と、性器をその前方からガードする前部ガード部とからなり、前記シート状部材の形状は、上縁中央がＶ形状を有しており、前記ガード部は、前記上縁におけるＶ形状を形成する一対の側縁部が互いに接合されて形成される男性用失禁パッドが開示されている。
【先行技術文献】
【特許文献】
【０００５】
【特許文献１】特開２０１２−２００４５３号公報
【特許文献２】特許第５１４７２２２号公報
【発明の概要】
【発明が解決しようとする課題】
【０００６】
このように、少量の尿漏れ用の軽失禁ライナーとしては、上記特許文献１、２のように、男性器の可動範囲が広いため、カップ形状などに形成した失禁パッドで男性器を包み込むことによって、その内側で尿漏れした場合でも失禁パッドで吸収しようとするものが多く開発されている。
【０００７】
しかしながら、健常者が普段の生活の中で、軽失禁ライナーによって男性器が包み込まれると、男性器の可動範囲が制限され、不快感が発生し、男性器と失禁パッドとの接触面積が増加して摩擦による肌トラブルの原因となることが懸念される。
【０００８】
そこで本発明の主たる課題は、男性器を包み込むことなく少量の尿漏れにより下着が汚れるのを防止するとともに、装着時に違和感を与えない男性用吸収性物品を提供することにある。
【課題を解決するための手段】
【０００９】
上記課題を解決するために請求項１に係る本発明として、透液性表面シートと裏面シートとの間に吸収体が介在された男性用吸収性物品であって、
前方から後方に亘って本体部が形成されるとともに、
前記本体部の後方の両側に、側方又は斜め後ろの側方に向けて突出する左右一対の側方部が形成されていることを特徴とする男性用吸収性物品が提供される。
【００１０】
上記請求項１記載の発明では、前記男性用吸収性物品として、前後方向に沿う本体部と、この本体部の後方の両側に、側方又は斜め後ろの側方に向けて突出する左右一対の側方部とから構成している。前記男性用吸収性物品を下着に装着するに際しては、下着の前身頃の内側に対して、前記本体部をウエスト開口部近傍から股間部にかけての前後方向に沿って配設するとともに、前記側方部を下着の股間部から脚部開口の近傍にかけて配設する。
【００１１】
これによって、前記中央部によって、排尿後に下着内に男性器を戻したときの少量の尿漏れによる尿が吸収され、下着を濡らすのが防止できる。また、男性器が左右に移動したときに少量の尿漏れがあった場合でも、前記側方部によって尿が吸収されるので、下着を濡らすのが防止できる。
【００１２】
このとき、男性器をカップ状のものによって包み込むのではなく、男性用吸収性物品が平面的に形成され下着に沿って配設されるので、男性器の可動範囲を制限せず、不快感や摩擦による肌トラブルなどが生じず、装着時に違和感を与えることがない。
【００１３】
請求項２に係る本発明として、前記本体部の後方の幅方向中央に、後方に向けて突出する後方部が形成されている請求項１記載の男性用吸収性物品が提供される。
【００１４】
上記請求項２記載の発明では、前記本体部の後方の幅方向中央に、後方に向けて突出する後方部を形成してあるため、男性器が下方に移動したときに少量の尿漏れがあった場合でも下着を濡らすのが防止できるとともに、尿が股下に伝っても下着の汚れが防止できるようになる。
【００１５】
請求項３に係る本発明として、前記側方部の前側外形線と、男性用吸収性物品の前後方向線との成す角が９０度〜１２０度である請求項１、２いずれかに記載の男性用吸収性物品が提供される。
【００１６】
上記請求項３記載の発明では、男性器が左右に移動した場合に対応するため、前記側方部の前側外形線の角度を一定の範囲内に規定している。
【００１７】
請求項４に係る本発明として、前記側方部の後側外形線と、男性用吸収性物品の前後方向線との成す角が６０度〜９０度である請求項１〜３いずれかに記載の男性用吸収性物品が提供される。
【００１８】
上記請求項４記載の発明では、脚を動かしたときに脚の付け根の内側部分の抵抗を軽減するため、前記側方部の後側外形線の角度を一定の範囲内に規定している。
【００１９】
請求項５に係る本発明として、前記裏面シートの外面側に下着への固定を図るためのズレ止め粘着剤層が設けられ、
前記ズレ止め粘着剤層は、前記側方部の少なくとも先端近傍に設けられている請求項１〜４いずれかに記載の男性用吸収性物品が提供される。
【００２０】
上記請求項５記載の発明では、前記側方部のめくれを防止するため、側方部の少なくとも先端近傍にズレ止め粘着剤層を設けるようにしている。
【００２１】
請求項６に係る本発明として、前記吸収体は、前記側方部の基端部に前後方向に沿ってスリットが形成されるとともに、前記本体部の前方部分に幅方向に沿ってスリットが形成されている請求項１〜５いずれかに記載の男性用吸収性物品が提供される。
【００２２】
上記請求項６記載の発明では、前記側方部の基端部に前後方向に沿ってスリットを設けることによって、前記側方部を脚の動きに追従しやすくし、股関節の動きにくさを軽減している。また、前記本体部の前方部分に幅方向に沿ってスリットを形成することによって、本体部の前方部分を折れ曲がりやすくして、下着のウエスト開口部からの男性器の出し入れを容易にしている。また、前記吸収体にスリットを設けることによって、男性用吸収性物品を個装する際の折り畳みが容易になる。
【００２３】
請求項７に係る本発明として、前記本体部の前方部分に、一方の側方に向けて突出するとともに、下着の前開き部分に折り返して固定するためのウイング状フラップが設けられている請求項１〜６いずれかに記載の男性用吸収性物品が提供される。
【００２４】
上記請求項７記載の発明では、男性用吸収性物品を下着の前開き部分に折り返して固定するためのウイング状フラップを設けている。
【発明の効果】
【００２５】
以上詳説のとおり本発明によれば、男性器を包み込むことなく少量の尿漏れにより下着が汚れるのを防止するとともに、装着時に違和感を与えない男性用吸収性物品が提供できるようになる。
【図面の簡単な説明】
【００２６】
【図１】本発明に係る男性用失禁ライナー１の一部破断展開図である。
【図２】そのII−II線矢視図である。
【図３】男性用失禁ライナー１の装着状態を示す、下着の正面図である。
【図４】他の形態例に係る男性用失禁ライナー１の展開図である。
【図５】(A)〜(D)は男性用失禁ライナー１の裏面図である。
【図６】吸収体４の平面図である。
【図７】ウイング状フラップを有する男性用失禁ライナー１の展開図である。
【図８】その装着状態を示す、(A)は下着の正面図、(B)は(A)のB−B線矢視図である。
【図９】他の形態例に係る男性用失禁ライナー１の展開図である。
【発明を実施するための形態】
【００２７】
以下、本発明の実施の形態について図面を参照しながら詳述する。本発明に係る男性用失禁ライナー１（以下、単に失禁ライナー１という。）は、寝たきりの老人などが排尿する場合の多量の尿を吸収するための尿吸収用の失禁パッドではなく、健常者が普段の生活の中でトイレで排尿した後などに起こり得る少量の尿漏れによる下着の汚れを防止するための失禁ライナーである。このような失禁ライナーでは、少量の尿漏れ、具体的には２ｃｃ〜１０ｃｃ程度の尿漏れを対象としている。
【００２８】
前記失禁ライナー１は、図１及び図２に示されるように、ポリエチレンシート、ポリプロピレンシートなどからなる不透液性裏面シート２と、尿などを速やかに透過させる透液性表面シート３と、これら両シート２，３間に介在された綿状パルプまたは合成パルプなどからなる吸収体４と、前記透液性表面シート３と吸収体４との間に介在された親水性不織布からなるセカンドシート６とから主に構成されている。前記吸収体４の周囲において、前記不透液性裏面シート２と透液性表面シート３との外縁部がホットメルトなどの接着剤やヒートシール等の接着手段によって接合され、外周に吸収体４の存在しない外周フラップ部が形成されている。
【００２９】
以下、さらに前記失禁ライナー１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３０】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３１】
これら不透液性裏面シート２と透液性表面シート３との間に介在される吸収体４は、たとえばパルプ中に高吸水性樹脂を混入したもの、或いはパルプ中に化学繊維を混入させるとともに、高吸水性ポリマーを混入したものが使用される。前記吸収体４は、形状保持、および尿等を速やかに拡散させるとともに、一旦吸収した尿等の逆戻りを防止するためにクレープ紙５によって囲繞することが好ましいが、無くても構わない。
【００３２】
前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。薄型のライナーとする場合には、前記吸収体４として、エアレイド法により作製されたものが用いられる。また、前記高吸水性ポリマーとしては、高吸水ポリマー粒状粉（ＳＡＰ）や高吸水ポリマー繊維（ＳＡＦ）を用いることができる。
【００３３】
前記透液性表面シート３と吸収体４との間に配置される親水性セカンドシート６は、体液に対して親水性を有するものであればよい。具体的には、レーヨンやキュプラ等の再生繊維、綿等の天然繊維を用いることにより素材自体に親水性を有するものを用いるか、ポリエチレンまたはポリプロピレン等のオレフィン系、ポリエステル系、ポリアミド系等の合成繊維を親水化剤によって表面処理し親水性を付与した繊維を用いることができる。
【００３４】
本失禁ライナー１は、図１に示されるように、前記不透液性裏面シート２、吸収体４、セカンドシート６及び透液性表面シート３が積層された平面的なパッド状に形成されている。平面形状は、図１に示されるように、前方から後方にかけての幅方向中央に本体部１０が形成されるとともに、前記本体部１０の後方の両側に、側方又は斜め後ろの側方に向けて突出する左右一対の側方部１１、１１が形成されている。また、図１に示される例では、本体部１０の後方の幅方向中央に、後方に向けて突出する後方部１２が形成されている。
【００３５】
前記本体部１０は、前方から後方にかけての幅方向中央に存在するものであり、図示例では両側縁が前後方向に直線的に延びる略長方形状に形成されているが、両側縁を曲線、波状線など任意の形状で形成してもよい。また、本体部１０と前記側方部１１及び後方部１２との境界は必ずしも明確である必要はなく、幅方向中央に存在するものを本体部１０、その両側に延在するものを側方部１１、前記側方部１１より後方に延在するものを後方部１２などと識別できればよい。
【００３６】
前記側方部１１は、前記本体部１０の吸収体４が側方に延在するとともに、同じく本体部１０の不透液性裏面シート２、透液性表面シート３及びセカンドシート６がそれぞれ側方に延在して設けられ、これらの積層構造によって構成されている。
【００３７】
また、前記後方部１２も同様に、前記本体部１０の吸収体４が後方に延在するとともに、同じく本体部１０の不透液性裏面シート２、透液性表面シート３及びセカンドシート６がそれぞれ後方に延在して設けられ、これらの積層構造によって構成されている。
【００３８】
前記失禁ライナー１を下着に装着するには、図３に示されるように、下着の前身頃に対し、前記本体部１０を幅方向中央部のウエスト開口の近傍位置から股下部にかけて配置するとともに、側方部１１、１１をそれぞれ、股下部から脚部開口の近傍にかけて配置する。また、前記後方部１２を下着の股下側に湾曲して配置する。
【００３９】
前記失禁ライナー１の装着状態においては、ライナーが平面的なパッド状に形成され下着に沿って装着されるため、従来のカップ状に形成されたものによって男性器を包み込む場合に比べて、男性器の可動範囲を制限せず、不快感や摩擦による肌トラブルなどが防止できるようになる。
【００４０】
また、装着状態においては、前記本体部１０が前身頃の幅方向中央に上下方向に沿って配置されるため、該本体部１０によって排尿後に下着内に男性器を戻したときに少量の尿漏れがあっても前記本体部１０で吸収でき、下着を濡らすのが防止できる。さらに、男性器が左右に移動した場合でも、前記側方部１１が股下部から脚部開口の近傍にかけて配置されているため、この位置で少量の尿漏れがあっても前記側方部１１に吸収され、下着を濡らすのが防止できる。
【００４１】
さらに、前記後方部１２が股下部から後方に配置されているため、男性器が股下部に移動した場合、又は股下部まで伝う排尿があった場合でも、前記後方部１２に尿が吸収され、下着を濡らすのが防止できる。
【００４２】
また、男性器をカップ状のものによって包み込むのではなく、失禁ライナー１が平面的に形成され下着に沿って配設されるので、男性器の可動範囲を制限せず、不快感や摩擦による肌トラブルなどが生じず、装着時に違和感を与えることがない。
【００４３】
前記側方部１１の前側外形線１１ａと、失禁ライナー１の前後方向線Ｌ（本体部１０の側縁に沿った線）のうち前記前側外形線１１ａの基端部より前側に延びる線との成す角αは、９０度≦α≦１２０度であることが好ましい。すなわち、側方部１１の前側外形線１１ａは、本体部１０の側縁に対し、側方又は斜め後ろの側方に向けて突出するように形成されている。この角度範囲で形成することにより、男性器が左右に移動した場合でも、男性器から排出される尿が前記側方部１１に確実に吸収されるようになる。
【００４４】
また、前記側方部１１の後側外形線１１ｂと、失禁ライナー１の前後方向線Ｌ（本体部１０の側縁に沿った線）のうち前記後側外形線の基端部より後側に延びる線との成す角βは、６０度≦β≦９０度であることが好ましい。すなわち、側方部１１の後側外形線１１ｂは、本体部１０の側縁に対し、側方又は斜め後ろの側方に向けて突出するように形成されている。この角度範囲で形成することにより、脚を動かした際の股下の抵抗が軽減できるようになる。
【００４５】
前記側方部１１の前側外形線１１ａと後側外形線１１ｂとは、図示例ではほぼ平行に形成されているが、必ずしも平行である必要はない。例えば、前側外形線１１ａと後側外形線１１ｂとの離間幅が外側に向けて漸次幅狭になるように形成してもよい。また、前側外形線１１ａ及び後側外形線１１ｂは、図示例ではそれぞれ直線で形成されているが、直線、曲線、波状線のいずれか又はこれらの組み合わせによって形成することも可能である。
【００４６】
各部の寸法について説明すると、図１に示されるように、側方部１１より前側の前記本体部１０の前後方向長さＬ１は、下着のウエスト開口から男性器を出して排尿した後、男性器を下着へ戻したときの排尿が吸収できるようにするため、６ｃｍ≦Ｌ１≦７ｃｍとするのがよい。また、必要に応じて前記後方部１２を設けた場合の前記後方部１２の前後方向の長さＬ２は、股下側への漏れを防止するとともに、股下の違和感を軽減するため、２ｃｍ≦Ｌ２≦５ｃｍとするのがよい。さらに、前記本体部１０の側方部１１が設けられる部分の前後方向長さＬ３は、５ｃｍ≦Ｌ３≦１２ｃｍとするのがよい。前記本体部１０の幅Ｌ４は、５ｃｍ≦Ｌ４≦７ｃｍとするのがよい。Ｌ４を７ｃｍより大きくすると、下着の前開き部分を覆う可能性があるため好ましくない。前記側方部１１の本体部１０からの突出長さＬ５は、男性器が左右に移動した場合でも尿を確実に吸収できるようにするとともに、下着の脚部開孔からライナーがはみ出ないようにするため、５ｃｍ≦Ｌ５≦１２ｃｍとするのがよい。前記側方部１１の幅Ｌ６は、下着の前開き部分にかからない程度の幅とするため、５ｃｍ≦Ｌ６≦８ｃｍとするのがよい。
【００４７】
前記後方部１２は、図１に示される例では、幅方向は本体部１０とほぼ同幅に形成され、前後方向は側方部１１の後端とほぼ同じ位置まで形成されている。前後方向の位置は、側方部１１の後端位置と揃える必要はなく、後方部１２の後端位置が側方部１１の後端位置より後方に突出するように形成してもよいし、側方部１１の後端位置より前方に位置するように形成してもよい。
【００４８】
また、後方部１２の後端縁の形状は、図１に示される例では、本体部１０の前端縁の形状と同様に、外側に膨出する曲線状に形成されているが、図４に示されるように、後方に向けて直線的に漸次幅狭となるような三角形状で形成してもよい。三角形状で形成した場合には、後方の臀裂部の開始点に向けて漸次幅狭となる人体の股下構造にフィットしやすくなる。
【００４９】
本失禁ライナー１では、図５に示されるように、前記透液性表面シート３と不透液性裏面シート２との間に吸収体４が介在された前記本体部１０の不透液性裏面シート２の外面側（非肌当接面側）に、下着に対する固定のために適宜の塗布パターンによって１又は複数条の本体ズレ止め粘着剤層７が形成されている。また、前記側方部１１の不透液性裏面シート２の外面側（非肌当接面側）に、適宜の塗布パターンによって側方ズレ止め粘着剤層８が形成されている。前記ズレ止め粘着剤層７、８は、失禁ライナー１の個装状態で図示されない剥離材によって覆われている。
【００５０】
前記本体ズレ止め粘着剤層７は、本体部１０の前方から後方に亘るとともに、本体部１０の後方に延在する後方部１２に亘って連続的又は不連続的に設けられるようにするのが好ましい。前記側方ズレ止め粘着剤層８は、側方部１１のめくれを防止するため、前記側方部１１の少なくとも先端近傍に設けられている。
【００５１】
前記本体ズレ止め粘着剤層７及び側方ズレ止め粘着剤層８は、適宜のパターンで形成することができる。例えば、図５(A)に示される例では、本体ズレ止め粘着剤層７が前後方向に沿って２条の帯状で設けられるとともに、側方ズレ止め粘着剤層８が側方部１１の突出方向に沿って基端部から先端部にかけて２条の帯状で設けられている。また、図５(B)に示される例では、側方ズレ止め粘着剤層８が側方部１１の先端近傍にのみ設けられ、この側方ズレ止め粘着剤層８が三角形状や長方形状など適宜の平面形状で（図示例では三角形状で）形成されている。
【００５２】
さらに、図５(C)に示される例では、本体ズレ止め粘着剤層７として、本体部１０の幅方向中央に前方から後方にかけて連続する１条の粘着剤層７ａが設けられるとともに、その両側の前方部分に粘着剤層７ｂ、７ｂが設けられ、且つ前記粘着剤層７ａの前後にそれぞれ幅方向に沿って粘着剤層７ｃ、７ｃが設けられている。また、側方ズレ止め粘着剤層８として、側方部１１の両側縁に沿うとともに、それぞれ側方部の先端側から基端側に向けて漸次幅狭となる２条で設けられている。これにより、側方部１１の中央領域から本体部１０の両側部にかけて粘着剤層が設けられない非固定領域が形成されるため、この非固定領域が装着時に下着から浮き上がりやすくなり、男性器と接触しやすくなる。
【００５３】
また、図５(D)に示される例では、本体ズレ止め粘着剤層７及び側方ズレ止め粘着剤層８がそれぞれライナー前後方向に沿って設けられている。これにより、粘着剤層７、８を１回の塗布工程で設けることができ、複数の塗布工程で設けた場合に比べ各粘着剤層の塗布位置のずれが防止できるようになる。
【００５４】
図６に示されるように、前記吸収体４は、前記側方部１１の基端部に前後方向に沿ってそれぞれスリット１３が形成されるとともに、前記本体部１０の側方部１１が形成されない前方部分に幅方向に沿ってスリット１４が形成されるようにすることが好ましい。前記スリット１３、１４は、吸収体４が分断されるような連続線で形成してもよいし、分断部と非分断部とが交互に連続して配置された破線で形成してもよい。前記スリット１３を設けることによって、側方部１１が脚の動きに追従しやすくなり、股関節の動きにくさが軽減できるようになる。また、前記スリット１４を設けることによって、下着のウエスト開口部から男性器を出し入れする際に、本体部１０の前方部分が容易に折れ曲がるようになるので、男性器が出し入れしやすくなる。さらに、前記スリット１３、１４を設けることによって、失禁ライナー１を個装する際に折り畳みやすくなる。
【００５５】
前記失禁ライナー１は、図７に示されるように、本体部１０の前方部分に、一方の側方に向けて突出する下着の前開き部分に折り返して固定するためのウイング状フラップＷを設けることができる。前記ウイング状フラップＷは、装着状態では、図８に示されるように、失禁ライナー１を装着した状態で、男性器を出し入れする下着の前開き部分の内側ポケット部に、ウイング状フラップＷを折り返し、ウイング状フラップＷの不透液性裏面シート２側の面に備えられたズレ止め粘着剤層１５によって固定されている。前記ズレ止め粘着剤層１５は、少なくともウイング状フラップＷの先端部に設けてあればよく、ウイング状フラップＷの全長に亘って設けてもよいし、先端部にのみ設けてもよい。
【００５６】
前記ウイング状フラップＷは、不透液性裏面シート２及び／又は透液性表面シート３を延在させて本体部１０と一体的に設けてもよいし、別部材をホットメルト接着剤やヒートシールなどによって固定してもよい。別部材とする場合には、股間部の通気性を確保する観点から通気性の良い不織布などの素材を用いるのが望ましい。
【００５７】
〔他の形態例〕
上記形態例では、本体部１０の後方の幅方向中央部に、後方に向けて突出する後方部１１が形成されていたが、前記後方部１２は図９に示されるようになくてもよい。すなわち、本体部１０の後端の両側に前記側方部１１、１１が形成されるようにしてもよい。前記後方部１２を設けないことにより、股下のゴワ付き感が低減し、股関節が動かしやすくなる。
【符号の説明】
【００５８】
１…男性用失禁ライナー、２…不透液性裏面シート、３…透液性表面シート、４…吸収体、５…クレープ紙、６…セカンドシート、７…本体ズレ止め粘着剤層、８…側方ズレ止め粘着剤層、１０…本体部、１１…側方部、１２…後方部、１３・１４…スリット
【図１】
2015058195.tif 000003
【図２】
2015058195.tif 000004
【図３】
2015058195.tif 000005
【図４】
2015058195.tif 000006
【図５】
2015058195.tif 000007
【図６】
2015058195.tif 000008
【図７】
2015058195.tif 000009
【図８】
2015058195.tif 000010
【図９】
2015058195.tif 000011